(57)【要約】【課題】押圧操作用の操作摘みを円筒状の支持部に挿着する場合に、意匠などの表示が間違った位置に取り付けられることがなく操作摘みの誤組み込み防止が図れる回転型電気部品の構造を提供する。【解決手段】中央にケース１の筒状軸１ｄの開口部１ｃと対応する窓孔９ａを有すると共に、回路基板１２に取付けるための取付脚９ｄを有する取付板９に、ケース１の底部に配設される平板部９ｂと、この平板部９ｂから窓孔９ａ内へ延接され、窓孔９ａ中央から偏する位置に筒状軸１ｄの開口部１ｃ内へ突出する屈曲板部９ｅを形成し、第２の操作部材１１が筒状軸１ｄに対して所望以外の角度で挿着された場合には、屈曲板部９ｅに筒状軸１ｄの内周部に挿着される第２の操作部材１１の下端部が当接するようにした。【選択図】        図１
2004265687.tif 000002
【特許請求の範囲】
【請求項１】
収納部が設けられたフランジ部を有すると共に、中央に貫通状の開口部が設けられた筒状軸を有するケースと、前記筒状軸の外周に回転可能に支持された回転軸と、この回転軸の一端側に挿着された第１の操作部材と、前記回転軸の他端側に保持され前記収納部に回転可能に収容されたコード板と、このコード板と摺接する摺動子と、前記筒状軸及び前記回転軸を挿通する挿通孔を有し、前記収納部上に嵌着されたカバーと、中央に前記筒状軸の開口部と対応する窓孔を有すると共に、回路基板に取付けるための取付脚を有する取付板と、前記回路基板に取付けられ、前記筒状軸の開口部内の中央位置に配設される押釦スイッチと、前記筒状軸の開口部内に挿着され、前記押釦スイッチを押圧する第２の操作部材とを備え、前記取付板には、前記ケースの底部に配設される平板部と、この平板部から前記窓孔内へ延接され、前記窓孔中央から偏する位置に前記筒状軸の開口部内へ突出する屈曲板部を形成し、前記第２の操作部材が前記筒状軸に対して所望以外の角度で挿着された場合には、前記屈曲板部に前記筒状軸の内周部に挿着される前記第２の操作部材の下端部が当接するようにしたことを特徴とする回転型電気部品。
【請求項２】
前記取付板には、前記ケースの側板に沿って上方へ延出する複数の立上片を形成し、この立上片により前記ケースに前記カバーを嵌着したことを特徴とする請求項１記載の回転型電気部品。
【請求項３】
前記筒状軸の開口部の内周部には、前記第２の操作部材の昇降方向への移動をガイドするガイド手段が設けられていることを特徴する請求項１又は２記載の回転型電気部品。
【請求項４】
前記ガイド手段は、前記筒状軸の開口部の形状を軸心に対して上下左右が対称形状となるように構成したことを特徴とする請求項３記載の回転型電気部品。
【発明の詳細な説明】
【０００１】
【発明の属する技術分野】
本発明は、自動車のエアコンなどに使用される回転型電気部品の構造に係り、特に操作部材の誤組み込み防止構造に関する。
【０００２】
【従来の技術】
従来の回転型電気部品の構造としては、一般的に中央に押釦スイッチなどを収納する中空部が形成されているロータリーエンコーダーが知られている。このロータリーエンコーダーの構成としては、中央に開口部を有する筒状軸の外周に回転可能な回転軸を支持させると共に、この筒状軸の開口部内に押釦スイッチを配設して、この筒状軸に押圧操作用の操作部材を挿着させてこの操作部材の押し下げ操作によって押釦スイッチを作動させるものである（例えば、特許文献１、又は特許文献２参照）。
【０００３】
以下、従来の回転型電気部品の構造を図に基づいて説明する。
図５及び図６は従来の回転型電気部品の構造を示し、図５は回転型電気部品の断面図、図６は回転型電気部品の分解斜視図である。
【０００４】
図において、ケース２１は、合成樹脂などの成形品からなり、リング状の凹部２１ａを有する基部２１ｂと、基部２１ｂの中央部から立直し、中心部に貫通孔２１ｃを有する円筒状の支持部２１ｄとを有し、この基部２１ｂには複数個の接触片２２が埋設されて取付けられている。
【０００５】
軸部材２３は、同じく合成樹脂などの成形品からなり、中央に貫通孔２３ａを有する軸部２３ｂと、軸部２３ｂの下端部に設けられたリング状の回転体２３ｃとを有し、軸部２３ｂは全体が同径の円筒状で形成されている。また、回転体２３ｃの下面には導電パターン２４が形成され、この軸部材２３は貫通孔２３ａに支持部２１ｄを挿通し、回転体２３ｃが凹部２１ａ内に収納されてケース２１に回転可能に取付けられている。
【０００６】
取付け板２５は、金属板で形成され、孔２５ａを有する平板部２５ｂと、一対の脚部２５ｃと、複数個の取付け部２５ｄとを有している。この取付け板２５は、孔２５ａには軸部２３ｂと支持部２１ｄとを挿通して、平板部２５ｂで回転体２３ｃの一面を覆い、脚部２５ｃの先端部をケース２１の下面側に折り曲げてケース２１と軸部材２３とを取付けている。
【０００７】
このような構成により、軸部材２３の軸部２３ｂを回転すると、回転体２３ｃと導電パターン２４が回転して導電パターン２４と接触片２２が摺接してパルス信号を発生するようになっている。
【０００８】
また、このような回転型電気部品では、軸部２３ｂの前方部に図示しない回転操作用の操作摘みが取り付けられるようになっており、また、図５に示すようにケース２１の貫通孔２１ｃ内に位置する回路基板に押釦スイッチ２６が配設されて使用されるようになっている。そして、前記貫通孔２１ｃ内に昇降移動可能に挿着された図示しない押圧操作用の操作摘みが、押し下げられることにより、前記押釦スイッチ２６がオンして信号が出力されるようになっている。
【０００９】
【特許文献１】
特開平１１−１７６２８７号公報
【特許文献２】
特開２００１−２４３８４８号公報
【００１０】
【発明が解決しようとする課題】
しかしながら、上述した従来の回転型電気部品の構造においては、前記ケース２１に設けられた円筒状の支持部２１ｄの貫通孔２１ｃ内に位置するプリント基板（図示せず）に、前記押釦スイッチ２６が配設されており、前記支持部２１ｄの貫通孔２１ｃ内に押圧操作用の操作摘みを挿着する構成となっているが、前記支持部２１ｄは円筒状になっていることから、押圧操作用の操作摘みが１８０度回転された状態でも挿着が可能な構造のため、意匠などが表示された方向性の有る操作摘みを取付ける場合に、間違った位置に取付けてしまうという問題があった。
【００１１】
したがって、本発明では上述した問題点を解決し、押圧操作用の操作摘みを円筒状の支持部に挿着する場合に、意匠などの表示が間違った位置に取り付けられることがなく操作摘みの誤組み込み防止が図れる回転型電気部品を提供することを目的とする。
【００１２】
【課題を解決するための手段】
上記課題を解決するために本発明では第１の手段として、収納部が設けられたフランジ部を有すると共に、中央に貫通状の開口部が設けられた筒状軸を有するケースと、前記筒状軸の外周に回転可能に支持された回転軸と、この回転軸の一端側に挿着された第１の操作部材と、前記回転軸の他端側に保持され前記収納部に回転可能に収容されたコード板と、このコード板と摺接する摺動子と、前記筒状軸及び前記回転軸を挿通する挿通孔を有し、前記収納部上に嵌着されたカバーと、中央に前記筒状軸の開口部と対応する窓孔を有すると共に、回路基板に取付けるための取付脚を有する取付板と、前記回路基板に取付けられ、前記筒状軸の開口部内の中央位置に配設される押釦スイッチと、前記筒状軸の開口部内に挿着され、前記押釦スイッチを押圧する第２の操作部材とを備え、前記取付板には、前記ケースの底部に配設される平板部と、この平板部から前記窓孔内へ延接され、前記窓孔中央から偏する位置に前記筒状軸の開口部内へ突出する屈曲板部を形成し、前記第２の操作部材が前記筒状軸に対して所望以外の角度で挿着された場合には、前記屈曲板部に前記筒状軸の内周部に挿着される前記第２の操作部材の下端部が当接するようにしたことを特徴とする。
【００１３】
また、第２の手段として、前記取付板には、前記ケースの側板に沿って上方へ延出する複数の立上片を形成し、この立上片により前記ケースに前記カバーを嵌着したことを特徴とする。
【００１４】
また、第３の手段として、前記筒状軸の開口部の内周部には、前記第２の操作部材の昇降方向への移動をガイドするガイド手段が設けられていることを特徴する。
【００１５】
また、第４の手段として、前記ガイド手段は、前記筒状軸の開口部の形状を軸心に対して上下左右が対称形状となるように構成したことを特徴とする。
【００１６】
【発明の実施の形態】
以下、本発明の一実施例を図１乃至図４に示す。図１は回転型電気部品の断面図、図２は同じく分解斜視図、図３は同じく平面図、図４は同じく底面図である。
【００１７】
図において、ケース１は、合成樹脂などの絶縁材からなり、矩形部と円形部とが結合した形状をしており、上面が開口された収納部１ａを有する略円環状のフランジ部１ｂと、このフランジ部１ｂの中央に立設されて、その中央に貫通された開口部１ｃを有する円筒状の筒状軸１ｄとから形成されている。また、前記筒状軸１ｄの先端側には複数の弾性アーム部１ｅが形成されており、この弾性アーム部１ｅの自由端には前記開口部１ｃ内へ突出するフック部１ｆが形成されている。また、前記筒状軸１ｄの開口部１ｃ内周部には、軸心方向に沿って複数の凹凸形状からなるガイドレール部１ｇが形成されている。また、このガイドレール部１ｇは、前記筒状軸１ｄの開口部１ｃの形状を、前記筒状軸１ｄの軸心に対して上下左右方向の形状が対称形状となるように形成されている。
【００１８】
後述する第２の操作部材１１が前記筒状軸１ｄに挿着される際には、前記ガイドレール部１ｇにガイドされて挿入位置決めされると共に、前記弾性アーム部１ｅのフック部１ｆが第２の操作部材１１の側板部１１ｂの複数の凹溝１１ｄと係合するものとなっている。
【００１９】
摺動子２は、合成樹脂などの絶縁材で平板状に形成された基板部２ａと、導電性の金属板から形成され、前記基板部２ａの一端側から変位可能に導出された接点部２ｂと、他端側に屈曲して形成された端子部２ｃとから構成されている。
【００２０】
コード板３は、フェノール樹脂などの積層板で中央に貫通孔３ａを有する円環状に形成され、その一面側にはカーボンや銅箔などの導電性の材料からなる導電パターン３ｂが所定箇所に適宜形成されている。そして、後述する第１の操作部材１０が回転操作され回転軸８が回転する際には、前記導電パターン３ｂと前記摺動子２の接点部２ｂとが摺接されることで、所定の検出信号が出力されるものとなっている。
【００２１】
クリック板４は、合成樹脂などの絶縁材で同じく中央に貫通孔４ａを有する円環状に形成され、鍔部４ｂと、この鍔部４ｂから突出された環状の立壁部４ｃとからなり、この立壁部４ｃの外周部には複数の連続した凹凸状のカム部４ｄが形成されている。
【００２２】
板ばね５は、薄板状の弾性を有する金属板からなり、略Ｖ字形をした長尺状に形成されている。駆動体６は合成樹脂などの絶縁材で形成され、楕円状をした作動部６ａと、この作動部６ａの一端側に突出して形成された支軸部６ｂとからなっている。この駆動体６の作動部６ａが、前記板ばね５により付勢されて前記クリック板４のカム部４ｄと摺接されることにより、後述する回転軸８の回転操作時のクリック感触が得られるものとなっている。
【００２３】
カバー７は、合成樹脂などの絶縁材で形成され、前記ケース１と同じく矩形部と円形部が結合した形状をしている。このカバー７の円形部には中央に挿通孔７ａを有する略環状の蓋部７ｂと、この蓋部７ｂの挿通孔７ａ周縁部から突出して形成された略環状の突出部７ｃとが設けられている。また、このカバー７の矩形部中央には、前記駆動体６の支軸部６ｂが上下方向に変位可能に軸支される長孔部７ｄが設けられている。
【００２４】
回転軸８は、合成樹脂などの絶縁材からなり、中央に開口された挿通孔８ａを有する略円筒状に形成されている。この回転軸８の外周部中央には環状の突起部８ｂが形成されており、この突起部８ｂにより、前記回転軸８が前記カバー７に挿着された時の位置決め、及び後述する第１の操作部材１０が前記回転軸８に挿着された時の位置決めを行うようになっている。
【００２５】
また、前記回転軸８の一端側には、複数の第１の弾性アーム部８ｃが形成されており、この第１の弾性アーム部８ｃの自由端には外周方向へ突出した第１のフック部８ｄが形成されている。この第１のフック部８ｄに後述する第１の操作部材１０の凹溝１０ｃが係合されて固着されるものとなる。
【００２６】
また、前記回転軸８の他端側には、同じく複数の第２の弾性アーム部８ｅが形成されており、この第２の弾性アーム部８ｅの自由端には同じく外周方向へ突出した第２のフック部８ｆが形成されている。この第２のフック部８ｆに前記クリック板４を介して前記コード板３の下面が係合されることで、前記クリック板４及び前記コード板３が前記回転軸８に共回り可能に固着されるものとなる。
【００２７】
取付板９は、金属などの平板材を打ち抜き、折り曲げ加工を施して形成されたもので、中央には窓孔９ａを有する略円環状をした平板部９ｂが設けられ、この平板部９ｂの外周縁には屈曲されて、前記ケース１の側板に沿って上方へ延出し前記カバー７の環状の蓋部７ｂと係合して前記ケース１にカバー７を嵌着する複数の立上片９ｃが形成されている。
【００２８】
このように、前記取付板９に、前記ケース１の側板に沿って上方へ延出する複数の前記立上片９ｃを形成し、この立上片９ｃにより前記ケース１に前記カバー７を嵌着するようにしたので、上部に新たな取付板を設ける必要がなく、強固に前記ケース１とカバー７を固着することができるものとなる。
【００２９】
また、前記窓孔９ａの内周縁には、前記立上片とは対向した方向へ屈曲されて、後述する回路基板１２と係合する一対の取付脚９ｄと、前記平板部９ｂから前記窓孔９ａ内へ延接されると共に、前記窓孔９ａの中央から偏する位置に折り曲げられ立設された屈曲板部９ｅとが形成されている。この屈曲板部９ｅは、前記取付板９が前記ケース１の底面部に取付けられた際に、前記ケース１の筒状軸１ｄの開口部１ｃ内へ突出して配設されるようになっている。
【００３０】
第１の操作部１０は、合成樹脂などの絶縁材で、中央が開口された円筒状に形成されている。この第１の操作部材１０の内周部には、後述する第２の操作部材１１が昇降移動可能に挿着される、やや大径の第１の環状部１０ａと、前記回転軸８の一端側に挿着される、前記第１の環状部１０ａより小径の第２の環状部１０ｂが設けられている。また、この第２の環状部１０ｂの内周部には複数の凹溝１０ｃが形成されている。
【００３１】
前記第１の操作部１０は、前記回転軸８の一端側に挿着されて使用される際、前記第１の操作部１０の下端部が前記回転軸８に設けられた前記環状の突起部８ｂに当接して位置決めされると共に、前記複数の凹溝１０ｃに前記回転軸８の一端側に設けられた複数の前記第１の弾性アーム部８ｃの第１のフック部８ｄが係合して固着されるものとなっている。
【００３２】
第２の操作部材１１は、同じく合成樹脂などの絶縁材で略円柱状に形成され、押圧操作され表面に文字等の方向性を有する表示が施された平面状の上板部１１ａと、前記ケース１の筒状軸１ｄに挿着される円筒状の側板部１１ｂと、下面中央に突出して後述する押釦スイッチ１３を押圧する押圧部１１ｃとがそれぞれ設けられている。また、前記側板部１１ｂの外周部には複数の凹溝１１ｄが形成されており、また、前記側板部１１ｂの下面の一端側には、段差を有し回転方向において前記屈曲板部９ｅの形成される角度範囲とほぼ同じ角度範囲に設けられる切り欠き部１１ｅが形成されている。
【００３３】
前記第２の操作部材１１は、前記ケース１の筒状軸１ｄの開口部１ｃに挿着されて使用される際、前記筒状軸１ｄの開口部１ｃ内周部に軸心方向に沿って設けられた複数の凹凸形状からなる前記ガイドレール部１ｇに、前記第２の操作部材１１の円筒状の側板部１１ｂの外周部に設けられた図示しないガイド部がガイドされて挿入位置決めされると共に、前記複数の凹溝１１ｄに前記筒状軸１ｄの先端側に設けられた複数の前記弾性アーム部１ｅのフック部１ｆがスナップ係合して前記筒状軸１ｄに対して回転不能に且つ上下動可能に保持される。
【００３４】
このように、前記筒状軸１ｄの開口部１ｃの内周部には、前記第２の操作部材１１の昇降方向への移動をガイドするガイド手段である前記ガイドレール部１ｇが設けられているので、後述する押釦スイッチ１３を押圧する際には、前記第２の操作部材１１を安定してガイドできることから前記筒状軸１ｄの高さ寸法を低くすることができ、強いては回転型電子部品の小型化が図れるものとなる。
【００３５】
また、前記ガイドレール部１ｇは、前記筒状軸１ｄの開口部１ｃの形状を、前記筒状軸１ｄの軸心に対して上下左右方向の形状が対称形状となるように形成してあるので、前記第２の操作部材１１の昇降移動時に上下左右方向に対称に力が働くのですべての方向に安定してガイドされることになり、押し下げ操作する際の操作性が良好となっている。
【００３６】
この時、前記第２の操作部材１１の側板部１１ｂの下面に設けられた前記切り欠き部１１ｅと、前記筒状軸１ｄの開口部１ｃ内に突出して配設された前記取付板９の屈曲板部９ｅとがそれぞれ対向した位置に配設されるものとなっている。また、下面中央に突出された前記押圧部１１ｃが後述する押釦スイッチ１３の釦部１３ａと対向して配置されている。
【００３７】
この時、前記第２の操作部材１１が、例えば、正規の取付け位置ではなく１８０度回転された状態で、意匠などの表示が間違った位置で前記筒状軸１ｄの開口部１ｃ内に挿入されて挿着されようとした場合には、前記第２の操作部材１１の側板部１１ｂの下面に設けられた前記切り欠き部１１ｅも１８０度回転した状態で挿入されることから、前記筒状軸１ｄの開口部１ｃ内に突出して配設された前記取付板９の屈曲板部９ｅが、前記第２操作部材１１の側板部１１ｂの前記切り欠き部１１ｅ以外の下面と当接することになり、前記第２の操作部材１１のそれ以上の挿入が阻止されることで誤組み込み防止が図れるものとなっている。
【００３８】
この場合、例えば前記筒状軸１ｄの開口部１ｃの形状を、片側に肉盛りなどして上下左右方向の形状を非対称にすれば、前記第２の操作部材１１の側板部１１ｂの外周部の形状をこれに対応させて形成することにより、誤組み込み防止が図れるものとなるが、前記ガイドレール部１ｇの形状が不均衡となることから、押し下げ操作する際の操作性が不安定になるという問題がある。上記構成では、前記第２の操作部材１１の昇降移動時のガイドとは別の場所で誤組み込み防止を行うようにしているので押し下げ操作する際の操作性が良好となっている。
【００３９】
尚、上記実施例において前記屈曲板部９ｅの高さ、前記切り欠き部１１ｅの高さ、前記切り欠き部１１ｅ以外の下面の高さの関係について言及すると、逆組込みした際に、前記切り欠き部１１ｅ以外の下面と前記屈曲板部９ｅの上面が当接するように、前記切り欠き部１１ｅ以外の下面は、前記屈曲板部９ｅの上面位置より下方に位置するように寸法設定されている。そして、更に、前記切り欠き部１１ｅ以外の下面と前記屈曲板部９ｅの上面が当接した状態において前記フック部１ｆ、凹溝１１ｄがまだスナップ係合しない位置となるよう寸法設定されており、これによって、スナップ係合がなされない場合には組み込み時の感触で逆組込みの検知ができるようにしている。また、前記切り欠き部１１ｅは、その下端と前記屈曲板部９ｅとの間の間隔が押釦スイッチ１３のプッシュストローク以上となるよう寸法設定している。
【００４０】
回路基板１２は、フェノール樹脂などの積層板からなり、表面には図示しない回路パターンが形成されている。また、回路パターン上には押釦スイッチ１３が配設されている。この押釦スイッチ１３は内部に図示しない接点部を有しており、上部に設けられた釦部１３ａが押圧されることにより内部の接点部がオン、オフされて回路の切り換えが行われるものとなっている。
【００４１】
次に、本発明の回転型電気部品の動作を説明する。まず、回転操作用の外側に位置する前記第１の操作部材１０を回転操作させると、前記第１の操作部材１０の一端側に係合された前記回転軸８が回転して、この回転に伴って前記回転軸８の他端側に固着された前記コード板３及び前記クリック板４が回動する。この時、前記クリック板４の環状の前記立壁部４ｃの外周部に形成された複数の連続した凹凸状の前記カム部４ｄが、前記カバー７に軸支された前記駆動体６の作動部６ａと摺接することにより回転時のクリック感触が得られるものとなる。
【００４２】
また、前記回転軸８の回転時に、前記コード板３に設けられた前記導電パターン３ｂと前記摺動子２の接点部２ｂとが摺接されることで、所定の検出信号が出力されるものとなっている。そして例えば、自動車のエアコンなどの温度調整や風量の調整を行うものとなっている。
【００４３】
次に、前記第１の操作部材１０の内側に挿着された押圧操作用の前記第２の操作部材１１を押圧操作させると、前記第２の操作部材１１が前記筒状軸１ｄの開口部１ｃの内周部に沿って下方に押し下げられる。そして、前記側板部１１ｂの下面中央に突出された前記押圧部１１ｃが、前記押釦スイッチ１３の釦部１３ａを押圧することにより前記押しボタンスイッチ１３の図示しない接点部がオン又はオフされるものとなる。そして例えば、自動車のエアコンなどの機能などファンクション切り換えが行われるものとなっている。
【００４４】
上記した実施例によれば、中央に貫通状の前記開口部１ｃが設けられた筒状軸１ｄを有する前記ケース１の、前記筒状軸１ｄの外周に前記回転軸８を回転可能に支持すると共に、前記回転軸８の一端側に前記第１の操作部材１０を、また、前記筒状軸１ｄの開口部１ｃ内に前記第２の操作部材１１を挿着し、中央に前記筒状軸１ｄの開口部１ｃと対応する窓孔９ａを有すると共に、前記回路基板１２に取付けるための取付脚９ｄを有する取付板９に、前記ケース１の底部に配設される前記平板部９ｂと、この平板部９ｂから前記窓孔９ａ内へ延接され、前記窓孔９ａ中央から偏する位置に前記筒状軸１ｄの前記開口部１ｃ内へ突出する前記屈曲板部９ｅを形成して、前記第２の操作部材１１が前記筒状軸１ｄに対して所望以外の角度で挿着された場合には、前記屈曲板部９ｅに前記筒状軸１ｄの内周部に挿着される前記第２の操作部材１１の下端部が当接するようにしているので、前記押釦スイッチ１３を押圧する前記第２の操作部材１１を前記筒状軸１ｄの前記開口部１ｃ内に挿着する際に、所定の方向以外の位置で挿入した場合には、前記屈曲板部９ｅと前記第２の操作部材１１の下端部が当接することにより、それ以上の挿入を阻止するため、意匠などの表示が間違った位置に取り付けられることがなく、簡単な構造で誤組み込み防止が図れるものとなっている。
【００４５】
また、前記屈曲板部９ｅを、前記窓孔９ａの中央から偏する位置に形成するようにしたので、中央位置などへ前記押釦スイッチ１３などの部品の配置が簡単に行えるので、組み立てなどの作業性が向上されるばかりか、部品実装の設計の自由度が向上されるものとなる。また、前記ケース１の底面に配設される前記取付板９を利用することで、前記第２の操作部材１１の誤組み込み防止手段を形成するようにしたので、前記第２の操作部材１１が挿着される前記筒状軸１ｄの開口部１ｃの形状をその都度変更することなしに、いろいろな形状の操作部材に容易に対応することができ、部品の共通化が可能となりローコスト化が図れるものとなっている。
【００４６】
また、本実施例の構造であれば、方向性が問題とならない表示つまみが装着される際には、前記屈曲板部９ｅを削除したものを用いればよく、その場合には方向性が無くなるので組み立てを容易にする事も可能である。
また、上記実施例においては、筒状軸１ｄに回転不能で上下移動可能に保持される前記第２の操作部材１１の側板部１１ｂの下端を前記屈曲板部９ｅと接するようにしているから、前記押釦スイッチ１３等の占有可能なスペースを広くできるが、前記屈曲板部９ｅをより押釦スイッチ１３に近接させた位置とし、意図しない位置で組み込まれた場合に当接するよう突起を側板部１１ｂとは別に設けても良い。
【００４７】
【発明の効果】
以上説明したように、本発明の回転型電気部品は、収納部が設けられたフランジ部を有すると共に、中央に貫通状の開口部が設けられた筒状軸を有するケースと、筒状軸の外周に回転可能に支持された回転軸と、この回転軸の一端側に挿着された第１の操作部材と、回転軸の他端側に保持され収納部に回転可能に収容されたコード板と、このコード板と摺接する摺動子と、筒状軸及び回転軸を挿通する挿通孔を有し、収納部上に嵌着されたカバーと、中央に筒状軸の開口部と対応する窓孔を有すると共に、回路基板に取付けるための取付脚を有する取付板と、回路基板に取付けられ、筒状軸の開口部内の中央位置に配設される押釦スイッチと、筒状軸の開口部内に挿着され、押釦スイッチを押圧する第２の操作部材とを備え、取付板には、ケースの底部に配設される平板部と、この平板部から窓孔内へ延接され、窓孔中央から偏する位置に筒状軸の開口部内へ突出する屈曲板部を形成し、第２の操作部材が筒状軸に対して所望以外の角度で挿着された場合には、屈曲板部に筒状軸の内周部に挿着される第２の操作部材の下端部が当接するようにしたことから、押釦スイッチを押圧する第２の操作部材を筒状軸の開口部内に挿着する場合に、所定の方向以外の位置で挿入すると屈曲板部と第２の操作部材の下端部が当接してそれ以上の挿入を阻止するため、意匠などの表示が間違った位置に取り付けられることがなく、簡単な構造で誤組み込み防止が図れる。
また、屈曲板部を窓孔中央から偏する位置に形成したことから、中央位置などへ押釦スイッチなどの部品の配置が簡単に行えるので、作業性の向上や設計の自由度が向上される。また、ケースの底面に配設される取付板を利用して誤組み込み防止手段を形成したことから、第２の操作部材が挿着される筒状軸の開口部の形状を変更することなしに、いろいろな形状の操作部材に容易に対応することができ、ローコスト化が図れる。
【００４８】
また、取付板には、ケースの側板に沿って上方へ延出する複数の立上片を形成し、この立上片によりケースにカバーを嵌着したことから、上部に新たな取付板を設ける必要がなく、強固にケースとカバーを固着することができる。
【００４９】
また、筒状軸の開口部の内周部には、第２の操作部材の昇降方向への移動をガイドするガイド手段が設けられていることから、押釦スイッチを押圧する際には第２の操作部材を安定してガイドできるので筒状軸の高さ寸法を低くすることができ、回転型電子部品の小型化が図れる。
【００５０】
また、ガイド手段は、筒状軸の開口部の形状を軸心に対して上下左右が対称形状となるように構成したことから、操作部材の移動時に上下左右に対称に力が働くのですべての方向に安定してガイドされることになり、操作性が良好となる。
【図面の簡単な説明】
【図１】本発明の一実施例である回転型電気部品を示す断面図である。
【図２】本発明の同じく回転型電気部品を示す分解斜視図である。
【図３】本発明の同じく回転型電気部品を示す平面図である。
【図４】本発明の同じく回転型電気部品を示す底面図である。
【図５】従来の回転型電気部品を示す断面図である。
【図６】従来の回転型電気部品を示す分解斜視図である。
【符号の説明】
１  ケース
１ａ  収納部
１ｂ  フランジ部
１ｃ  開口部
１ｄ  筒状軸
１ｅ  弾性アーム部
１ｆ  フック部
１ｇ  ガイドレール部
２  摺動子
２ａ  基板部
２ｂ  接点部
２ｃ  端子部
３  コード板
３ａ  貫通孔
３ｂ  導電パターン
４  クリック板
４ａ  貫通孔
４ｂ  鍔部
４ｃ  立壁部
４ｄ  カム部
５  板ばね
６  駆動体
６ａ  作動部
６ｂ  支軸部
７  カバー
７ａ  挿通孔
７ｂ  蓋部
７ｃ  突出部
７ｄ  長孔
８  回転軸
８ａ  挿通孔
８ｂ  突起部
８ｃ  第１の弾性アーム部
８ｄ  第１のフック部
８ｅ  第２の弾性アーム部
８ｆ  第２のフック部
９  取付板
９ａ  窓孔
９ｂ  平板部
９ｃ  立上片
９ｄ  取付脚
９ｅ  屈曲板部
１０  第１の操作部材
１０ａ  第１の環状部
１０ｂ  第２の環状部
１０ｃ  凹溝
１１  第２の操作部材
１１ａ  上板部
１１ｂ  側板部
１１ｃ  押圧部
１１ｄ  凹溝
１１ｅ  切り欠き部
１２  回路基板
１３  押釦スイッチ
１３ａ  釦部
【図１】
2004265687.tif 000003
【図２】
2004265687.tif 000004
【図３】
2004265687.tif 000005
【図４】
2004265687.tif 000006
【図５】
2004265687.tif 000007
【図６】
2004265687.tif 000008